(57)【要約】【課題】地方圏の事業者にとって費用対効果が高い無線ＬＡＮシステム等を提供する。【解決手段】無線ＬＡＮルータ３は、携帯端末２から接続要求を受信すると、ネットワーク８を介してＳＮＳサイトにアクセスし（ステップＳ１）、顧客が所定のＳＮＳサイトにログイン済か否かを判定し（ステップＳ２）、ログイン済でない場合（ステップＳ２のＮｏ）、ログインスクリプトを実行する（ステップＳ３）。次に、無線ＬＡＮルータ３は、ＳＮＳサイトにおける無線ＬＡＮスポット提供者のページを確認し（ステップＳ４）、顧客がソーシャルボタンを押下済か否かを判定し（ステップＳ５）、押下済でない場合（ステップＳ５のＮｏ）、ソーシャルボタンスクリプトを実行する（ステップＳ６）。そして、無線ＬＡＮルータ３は、顧客がソーシャルボタンを押下済であることを条件として、ネットワーク８に携帯端末２を接続する（ステップＳ７）。【選択図】図２
2015015658.tif 000002
【特許請求の範囲】
【請求項１】
顧客が所持する携帯端末と、無線ＬＡＮスポット提供者が設置し、ネットワークに前記携帯端末を接続する無線ＬＡＮルータと、から構成される無線ＬＡＮシステムであって、
前記無線ＬＡＮルータは、
前記携帯端末から前記ネットワークへの接続要求を受信すると、前記顧客が所定のＳＮＳサイトにログイン済か否かを判定し、ログイン済でなければ前記ＳＮＳサイトにログインさせる手段と、
前記ＳＮＳサイトにおける前記無線ＬＡＮスポット提供者のページに対して、前記顧客がソーシャルボタンを押下済か否かを判定し、押下済でなければ前記ソーシャルボタンを押下させる手段と、
前記顧客が前記ソーシャルボタンを押下済であることを条件として、前記ネットワークに前記携帯端末を接続する手段と、
を具備することを特徴とする無線ＬＡＮシステム。
【請求項２】
前記顧客に前記無線ＬＡＮルータの設置場所の周辺情報を提供する情報提供サーバ、を更に備え、
前記情報提供サーバは、
前記無線ＬＡＮスポット提供者を識別する提供者ＩＤごとに、前記無線ＬＡＮスポット提供者の属性情報を含む提供者情報を保持する手段と、
前記無線ＬＡＮルータの設置場所が属する地域を識別する地域ＩＤごとに、前記地域の属性情報を含む地域情報を保持する手段と、
前記提供者ＩＤと前記地域ＩＤの紐付情報を保持する手段と、
前記提供者ＩＤと、前記無線ＬＡＮスポット提供者に係る商品役務の属性情報と、前記商品役務の在庫数を含む在庫情報を保持する手段と、
を具備し、
前記無線ＬＡＮルータは、
自身の前記無線ＬＡＮスポット提供者に関する前記提供者ＩＤである自提供者ＩＤを保持する手段と、
前記携帯端末に前記在庫情報の閲覧確認ページを表示させ、前記携帯端末から前記在庫情報の表示指示を受信すると、前記自提供者ＩＤを前記情報提供サーバに送信し、前記自提供者ＩＤに係る前記地域について、前記情報提供サーバから前記在庫情報を受信し、前記携帯端末に前記在庫情報を表示させる手段と、
を更に具備することを特徴とする請求項１に記載の無線ＬＡＮシステム。
【請求項３】
前記情報提供サーバは、
前記地域ＩＤと、前記地域の観光情報に関するウェブページの属性情報と、前記観光情報に関するウェブページのＵＲＬを保持する手段、
を更に具備し、
前記無線ＬＡＮルータは、
前記携帯端末に前記観光情報の閲覧確認ページを表示させ、前記携帯端末から前記観光情報の表示指示を受信すると、前記自提供者ＩＤを前記情報提供サーバに送信し、前記自提供者ＩＤに係る前記地域について、前記情報提供サーバから前記観光情報を受信し、前記携帯端末に前記観光情報を表示させる手段、
を更に具備することを特徴とする請求項２に記載の無線ＬＡＮシステム。
【請求項４】
無線ＬＡＮスポット提供者が設置し、顧客が所持する携帯端末をネットワークに接続する無線ＬＡＮルータであって、
前記携帯端末から前記ネットワークへの接続要求を受信すると、前記顧客が所定のＳＮＳサイトにログイン済か否かを判定し、ログイン済でなければ前記ＳＮＳサイトにログインさせる手段と、
前記ＳＮＳサイトにおける前記無線ＬＡＮスポット提供者のページに対して、前記顧客がソーシャルボタンを押下済か否かを判定し、押下済でなければ前記ソーシャルボタンを押下させる手段と、
前記顧客が前記ソーシャルボタンを押下済であることを条件として、前記ネットワークに前記携帯端末を接続する手段と、
を具備することを特徴とする無線ＬＡＮルータ。
【発明の詳細な説明】
【技術分野】
【０００１】
本発明は、顧客に無線ＬＡＮ（「Local Area Network」の略）スポットを提供する無線ＬＡＮスポット提供者が設置する無線ＬＡＮシステム等に関するものである。
【背景技術】
【０００２】
従来から、小売、飲食物の提供、宿泊施設の提供、入浴施設の提供等のサービスを行う事業者が、集客効果を上げるために、顧客に対して無料で無線ＬＡＮスポットを提供することが行われている。
【０００３】
例えば、特許文献１には、複数の無線ＬＡＮスポット及びインターネットを経由して接続し、広告を蓄積し、各無線ＬＡＮスポットに広告を配信させ、無線ＬＡＮスポット毎に広告料の支払いの基礎となる広告表示回数を蓄積し更新する広告配信サーバと、端末から無線ＬＡＮ経由で無線ＬＡＮスポットに対するインターネットへのアクセスに対して広告配信サーバから配信された広告を端末に表示させた後にインターネットへの接続を無料で行う無線ＬＡＮスポットの広告表示／接続部とを備える無線ＬＡＮスポットでの広告配信システムが開示されている。
【０００４】
ところで、地方圏では、携帯電話会社が提供するものも含めて公衆無線ＬＡＮスポットの普及が遅れており、旅行客（特に、国内の携帯電話網を利用できない海外からの旅行客）が不便を強いられている。地方圏において無線ＬＡＮスポット提供者を増やすことができれば、旅行客の利便性が向上し、地域の活性化にもつながる。
【先行技術文献】
【特許文献】
【０００５】
【特許文献１】特開２００５−２６７１２２号公報
【発明の概要】
【発明が解決しようとする課題】
【０００６】
しかしながら、特許文献１に記載の広告配信システムでは、広告表示回数、すなわち顧客の無線ＬＡＮ利用回数に応じて収益が得られる仕組みであるため、顧客数が少ない地方圏の事業者にとっては費用対効果が低いと言わざるを得ない。
【０００７】
本発明は、前述した問題点に鑑みてなされたものであり、その目的とすることは、地方圏の事業者にとって費用対効果が高い無線ＬＡＮシステム等を提供することである。
【課題を解決するための手段】
【０００８】
前述した目的を達成するための第１の発明は、顧客が所持する携帯端末と、無線ＬＡＮスポット提供者が設置し、ネットワークに前記携帯端末を接続する無線ＬＡＮルータと、から構成される無線ＬＡＮシステムであって、前記無線ＬＡＮルータは、前記携帯端末から前記ネットワークへの接続要求を受信すると、前記顧客が所定のＳＮＳサイトにログイン済か否かを判定し、ログイン済でなければ前記ＳＮＳサイトにログインさせる手段と、前記ＳＮＳサイトにおける前記無線ＬＡＮスポット提供者のページに対して、前記顧客がソーシャルボタンを押下済か否かを判定し、押下済でなければ前記ソーシャルボタンを押下させる手段と、前記顧客が前記ソーシャルボタンを押下済であることを条件として、前記ネットワークに前記携帯端末を接続する手段と、を具備することを特徴とする無線ＬＡＮシステムである。第１の発明によって、地方圏の事業者にとって費用対効果が高い無線ＬＡＮシステムを提供することができる。更に、普段から利用しているＳＮＳサイトのログイン認証とソーシャルボタンの押下だけでネットワークを利用することができるので、顧客にとっても利便性が高い。
【０００９】
第１の発明は、前記顧客に前記無線ＬＡＮルータの設置場所の周辺情報を提供する情報提供サーバ、を更に備え、前記情報提供サーバは、前記無線ＬＡＮスポット提供者を識別する提供者ＩＤごとに、前記無線ＬＡＮスポット提供者の属性情報を含む提供者情報を保持する手段と、前記無線ＬＡＮルータの設置場所が属する地域を識別する地域ＩＤごとに、前記地域の属性情報を含む地域情報を保持する手段と、前記提供者ＩＤと前記地域ＩＤの紐付情報を保持する手段と、前記提供者ＩＤと、前記無線ＬＡＮスポット提供者に係る商品役務の属性情報と、前記商品役務の在庫数を含む在庫情報を保持する手段と、を具備し、前記無線ＬＡＮルータは、自身の前記無線ＬＡＮスポット提供者に関する前記提供者ＩＤである自提供者ＩＤを保持する手段と、前記携帯端末に前記在庫情報の閲覧確認ページを表示させ、前記携帯端末から前記在庫情報の表示指示を受信すると、前記自提供者ＩＤを前記情報提供サーバに送信し、前記自提供者ＩＤに係る前記地域について、前記情報提供サーバから前記在庫情報を受信し、前記携帯端末に前記在庫情報を表示させる手段と、を更に具備するようにしても良い。これによって、すぐ近くまで来ている人に対して在庫情報を提示することができるので、高い広告宣伝効果を上げることができる。更に、周辺の店舗の在庫情報を纏めて閲覧することができるので、顧客にとっても利便性が高い。
【００１０】
また、第１の発明における前記情報提供サーバは、前記地域ＩＤと、前記地域の観光情報に関するウェブページの属性情報と、前記観光情報に関するウェブページのＵＲＬを保持する手段、を更に具備し、前記無線ＬＡＮルータは、前記携帯端末に前記観光情報の閲覧確認ページを表示させ、前記携帯端末から前記観光情報の表示指示を受信すると、前記自提供者ＩＤを前記情報提供サーバに送信し、前記自提供者ＩＤに係る前記地域について、前記情報提供サーバから前記観光情報を受信し、前記携帯端末に前記観光情報を表示させる手段、を更に具備するようにしても良い。これによって、自らが属する地域の観光情報を提示することができるので、地域の活性化につながる。更に、周辺の観光情報を纏めて閲覧することができるので、顧客にとっても利便性が高い。
【００１１】
第２の発明は、無線ＬＡＮスポット提供者が設置し、顧客が所持する携帯端末をネットワークに接続する無線ＬＡＮルータであって、前記携帯端末から前記ネットワークへの接続要求を受信すると、前記顧客が所定のＳＮＳサイトにログイン済か否かを判定し、ログイン済でなければ前記ＳＮＳサイトにログインさせる手段と、前記ＳＮＳサイトにおける前記無線ＬＡＮスポット提供者のページに対して、前記顧客がソーシャルボタンを押下済か否かを判定し、押下済でなければ前記ソーシャルボタンを押下させる手段と、前記顧客が前記ソーシャルボタンを押下済であることを条件として、前記ネットワークに前記携帯端末を接続する手段と、を具備することを特徴とする無線ＬＡＮルータである。第２の発明によって、第１の発明の無線ＬＡＮシステムを実現することができる。
【発明の効果】
【００１２】
本発明により、地方圏の事業者にとって費用対効果が高い無線ＬＡＮシステム等を提供することができる。
【図面の簡単な説明】
【００１３】
【図１】無線ＬＡＮシステム１の概要を示す図
【図２】無線ＬＡＮシステム１の処理の流れを示すフローチャート
【図３】無線ＬＡＮシステム１の画面遷移を示す図
【図４】無線ＬＡＮシステム１ａの概要を示す図
【図５】無線ＬＡＮシステム１ａのデータ例を示す図
【図６】無線ＬＡＮシステム１ａの処理の流れを示すフローチャート
【図７】無線ＬＡＮシステム１ａの画面遷移を示す図
【発明を実施するための形態】
【００１４】
本発明は、顧客に無線ＬＡＮ（「Local Area Network」の略）スポットを提供する無線ＬＡＮスポット提供者が設置する無線ＬＡＮシステム等に関するものである。無線ＬＡＮスポット提供者は、例えば、小売（自ら製造する商品のみを販売する者を含む。）、飲食物の提供、宿泊施設の提供、入浴施設の提供等のサービスを行う事業者であるが、実在する店舗、施設を有していれば良く、どのようなサービス内容であっても良い。以下図面に基づいて、本発明の実施形態を詳細に説明する。
【００１５】
＜第１の実施形態＞
図１〜図３を参照しながら、第１の実施形態について説明する。第１の実施形態は、顧客が所持する携帯端末をネットワークに接続するまでの処理に関する。
【００１６】
図１は、無線ＬＡＮシステム１の概要を示す図である。無線ＬＡＮシステム１は、顧客が所有する携帯端末２と、無線ＬＡＮスポット提供者が所定の設置場所９に設置し、ネットワーク８に携帯端末２を接続する無線ＬＡＮルータ３と、によって構成される。携帯端末２は、無線ＬＡＮルータ３及びネットワーク８を介してＳＮＳ（Social Networking Service）サーバ４にアクセス可能に接続される。ネットワーク８は、例えば、インターネットである。
【００１７】
無線ＬＡＮスポット提供者は、事前にＳＮＳサイトにおいて自らのページを開設しておく。例えば、facebook（登録商標）であれば、facebook（登録商標）ページである。また、顧客は、事前に同じＳＮＳサイトにおいて自らのアカウントを作成しておく。
【００１８】
携帯端末２は、ノートＰＣ（「Personal Computer」の略）、タブレット端末、携帯電話端末、スマートフォン等であって、例えば、ＩＥＥＥ８０２．１１シリーズ等の無線ＬＡＮ規格による無線通信機能を備える。
【００１９】
携帯端末２の主なハードウエア構成は、制御手段としてのＣＰＵ（「Central Processing Unit」の略）、主記憶手段としてのメモリ、補助記憶手段としてのＨＤＤ（「Hard Disk Drive」の略）やフラッシュメモリ、外部記憶手段としての記憶媒体、表示手段としての液晶ディスプレイや有機ＥＬ（「Electro-Luminescence」の略）ディスプレイ、入力手段としてのキーボードやマウス、タッチパネルディスプレイ、無線ＬＡＮ接続手段としての無線ＬＡＮモジュール等である。補助記憶手段としてのＨＤＤやフラッシュメモリには、ＯＳ（「Operating System」の略）やアプリケーションプログラムが格納されている。
【００２０】
携帯端末２のＣＰＵは、補助記憶手段からＯＳやアプリケーションプログラムを読み出して主記憶手段に格納し、主記憶手段にアクセスしながら、その他の機器を制御し、後述する処理を実行する。
【００２１】
無線ＬＡＮルータの主なハードウエア構成は、制御手段としてのＣＰＵ、主記憶手段としてのメモリ、補助記憶手段としてのフラッシュメモリ、無線ＬＡＮ接続手段としての無線ＬＡＮコントローラ等である。補助記憶手段としてのフラッシュメモリには、ファームウエアが格納されている。
【００２２】
無線ＬＡＮルータのＣＰＵは、補助記憶手段からファームウエアを読み出して主記憶手段に格納し、主記憶手段にアクセスしながら、その他の機器を制御し、後述する処理を実行する。
【００２３】
ＳＮＳサーバ４は、複数のコンピュータから構成され、データベースサーバ機能、アプリケーションサーバ機能、ウェブサーバ機能等を有する。各コンピュータの主なハードウエア構成は、制御手段としてのＣＰＵ、主記憶手段としてのメモリ、補助記憶手段としてのＨＤＤ、通信手段としての通信モジュール等である。必要に応じて、ＳＮＳサーバ４は、外部記憶手段としての記憶媒体、表示手段としての液晶ディスプレイや有機ＥＬディスプレイ、入力手段としてのキーボードやマウス、タッチパネルディスプレイ等を備える。
【００２４】
ＳＮＳサーバ４を構成する各コンピュータのＣＰＵは、補助記憶手段からＯＳやアプリケーションプログラムを読み出して主記憶手段に格納し、主記憶手段にアクセスしながら、その他の機器を制御し、後述する処理を実行する。
【００２５】
図２は、無線ＬＡＮシステム１の処理の流れを示すフローチャートである。図２に示す処理の前提として、無線ＬＡＮスポット提供者は、ステルス機能をＯＦＦにして無線ＬＡＮルータ３を起動しておく。ステルス機能とは、自らのＳＳＩＤ（「Service Set Identifier」の略）を付与したブロードキャストメッセージの送信を停止する機能である。ステルス機能をＯＮにすると、ＳＳＩＤを事前に知っている者しか、無線ＬＡＮルータ３を探索することができない。一方、ステルス機能をＯＦＦにすると、無線ＬＡＮルータ３は、ＳＳＩＤを付与したブロードキャストメッセージを送信するので、ＳＳＩＤを事前に知らない者でも、無線ＬＡＮルータ３を探索することができる。また、顧客は、無線ＬＡＮ規格による無線通信機能をＯＮにして携帯端末２を起動する。
【００２６】
携帯端末２の制御手段が無線ＬＡＮルータ３のＳＳＩＤを付与したブロードキャストメッセージを受信すると、表示手段にＳＳＩＤを表示する。そして、顧客が入力手段を介してＳＳＩＤを選択すると、携帯端末２の制御手段は、無線ＬＡＮルータ３と無線通信を開始する。
【００２７】
図３は、無線ＬＡＮシステム１の画面遷移を示す図である。図３の画面１１に示すように、無線ＬＡＮルータ３の制御手段は、ネットワーク８への接続を行うか否かを確認する旨の画面を携帯端末２に送信する。顧客が入力手段を介して接続指示ボタン（不図示）を押下すると、携帯端末２の制御手段は、無線ＬＡＮルータ３に接続要求を送信する。
【００２８】
図２に示すように、無線ＬＡＮルータ３の制御手段は、携帯端末２から接続要求を受信すると、ネットワーク８を介してＳＮＳサイトにアクセスし（ステップＳ１）、顧客が所定のＳＮＳサイトにログイン済か否かを判定する（ステップＳ２）。
【００２９】
無線ＬＡＮルータ３の制御手段は、ＳＮＳサイトのログイン認証ページを取得する旨のＨＴＴＰ（「Hypertext Transfer Protocol」の略）リクエストをネットワーク８に送信する。ＳＮＳサーバ４の制御手段は、このＨＴＴＰリクエストを受信すると、ログイン認証ページを無線ＬＡＮルータ３に送信する。
【００３０】
無線ＬＡＮルータ３の制御手段は、携帯端末２にログイン認証ページを送信する。携帯端末２の制御手段は、ログイン認証ページを表示する。例えば、携帯端末２の記憶手段にＳＮＳサイトのＣｏｏｋｉｅが保存されていて、自動ログインが設定されている場合、自動ログインが可能となる。このような場合、無線ＬＡＮルータ３の制御手段は、顧客が所定のＳＮＳサイトにログイン済と判定し（ステップＳ２のＹｅｓ）、ステップＳ４に進む。一方、顧客が所定のＳＮＳサイトにログイン済でない場合（ステップＳ２のＮｏ）、無線ＬＡＮルータ３の制御手段は、ログインスクリプトを実行する（ステップＳ３）。
【００３１】
図３の画面１２に示すように、無線ＬＡＮルータ３の制御手段は、ログインスクリプトを実行し、ＳＮＳにログインを行うか否かを確認する旨の画面を携帯端末２に送信する。顧客が入力手段を介してユーザＩＤとパスワードを入力し、ログイン指示ボタン（不図示）を押下すると、携帯端末２の制御手段は、無線ＬＡＮルータ３にログイン要求を送信する。そして、無線ＬＡＮルータ３の制御手段は、ＳＮＳサーバ４と携帯端末２の通信を仲介し、顧客をＳＮＳサイトにログインさせる。
【００３２】
図２の説明に戻る。次に、無線ＬＡＮルータ３の制御手段は、ＳＮＳサイトにおける無線ＬＡＮスポット提供者のページを確認し（ステップＳ４）、顧客がソーシャルボタンを押下済か否かを判定する（ステップＳ５）。
【００３３】
ソーシャルボタンとは、ＳＮＳにおいて、外部のウェブサイトと連携し、情報共有機能を実現するために設置されるボタンの総称である。例えば、facebook（登録商標）であれば、「いいね！ボタン」や「シェアボタン」等である。
【００３４】
無線ＬＡＮルータ３の制御手段は、ＳＮＳサイトが公開するＡＰＩ（「Application Programming Interface」の略）を利用し、顧客による所定のソーシャルボタン（例えば、「いいね！ボタン」）が押下済か否かを確認する。顧客が所定のソーシャルボタンを押下済の場合（ステップＳ５のＹｅｓ）、無線ＬＡＮルータ３の制御手段は、ステップＳ７に進む。一方、顧客が所定のソーシャルボタンを押下済でない場合（ステップＳ５のＮｏ）、無線ＬＡＮルータ３の制御手段は、ソーシャルボタンスクリプトを実行する（ステップＳ６）。
【００３５】
図３の画面１３に示すように、無線ＬＡＮルータ３の制御手段は、所定のソーシャルボタンの押下を行うか否かを確認する旨の画面を携帯端末２に送信する。顧客が入力手段を介してソーシャルボタン（不図示）を押下すると、携帯端末２の制御手段は、無線ＬＡＮルータ３にソーシャルボタン押下指示を送信する。そして、無線ＬＡＮルータ３の制御手段は、ＳＮＳサーバ４と携帯端末２の通信を仲介し、顧客に所定のソーシャルボタンを押下させる。
【００３６】
図２の説明に戻る。次に、無線ＬＡＮルータ３の制御手段は、顧客がソーシャルボタンを押下済であることを条件として、ネットワーク８に携帯端末２を接続する（ステップＳ７）。
【００３７】
図３の画面１４に示すように、無線ＬＡＮルータ３の制御手段は、接続完了を通知する旨の画面を携帯端末２に送信する。以後、無線ＬＡＮルータ３の制御手段は、ＳＮＳサーバ４と携帯端末２の通信を仲介し、顧客にネットワーク８を利用させる。
【００３８】
以上説明したように、第１の実施形態における無線ＬＡＮシステム１では、無線ＬＡＮルータ３が、携帯端末２からネットワーク８への接続要求を受信すると、顧客が所定のＳＮＳサイトにログイン済か否かを判定し、ログイン済でなければＳＮＳサイトにログインさせ、ＳＮＳサイトにおける無線ＬＡＮスポット提供者のページに対して、顧客がソーシャルボタンを押下済か否かを判定し、押下済でなければソーシャルボタンを押下させ、顧客がソーシャルボタンを押下済であることを条件として、ネットワーク８に携帯端末２を接続する。
【００３９】
従って、実際に来店した顧客がＳＮＳサイトのページに対してソーシャルボタンを押下することによって、ソーシャルボタンを押下した顧客の友達等にＳＮＳサイトのページを閲覧してもらうことができ、広告宣伝効果が期待できる。また、無線ＬＡＮへのログイン認証がＳＮＳサイトの認証の仕組みによって実現するので、システム構築費用を抑えることができる。すなわち、第１の実施形態における無線ＬＡＮシステム１は、地方圏の事業者にとって費用対効果が高いシステムである。
【００４０】
更に、普段から利用しているＳＮＳサイトのログイン認証とソーシャルボタンの押下だけでネットワーク８を利用することができるので、顧客にとっても利便性が高いシステムである。
【００４１】
尚、図３に示す画面例は日本語のみであったが、他言語の画面を表示するようにしても良い。例えば、無線ＬＡＮルータ３は、画面１１を表示する前に言語選択画面を表示し、以降は顧客が選択した言語の画面を表示する。これによって、外国の旅行客にとっても利便性が高いシステムとなる。
【００４２】
＜第２の実施形態＞
図４〜図７を参照しながら、第２の実施形態について説明する。第２の実施形態は、携帯端末がネットワークに接続した後の処理に関する。尚、第１の実施形態と同様の機能を有する構成要素には同様の符号を付し、重複する説明は省略する。
【００４３】
図４は、無線ＬＡＮシステム１ａの概要を示す図である。無線ＬＡＮシステム１ａは、携帯端末２と、無線ＬＡＮルータ３−１、・・・、３−ｎと、顧客に各無線ＬＡＮルータ３−１、・・・、３−ｎの設置場所の周辺情報を提供する情報提供サーバ５と、によって構成される。各無線ＬＡＮルータ３−１、・・・、３−ｎは、異なる無線ＬＡＮスポット提供者によって、異なる設置場所９−１、・・・、９−ｎに設置される。情報提供サーバ５は、ネットワーク８を介して任意のコンピュータがアクセス可能に設置される。
【００４４】
無線ＬＡＮシステム１ａでは、複数の無線ＬＡＮルータ３−１、・・・、３−ｎが存在するので、各無線ＬＡＮルータ３−１、・・・、３−ｎは、自他を識別するために、自身の無線ＬＡＮスポット提供者に関する提供者ＩＤである自提供者ＩＤを主記憶手段に保持する。以下、無線ＬＡＮルータ３−１、・・・、３−ｎを総称するときは、無線ＬＡＮルータ３と表記する。
【００４５】
情報提供サーバ５は、複数のコンピュータから構成され、データベースサーバ機能、アプリケーションサーバ機能、ウェブサーバ機能等を有する。各コンピュータの主なハードウエア構成は、制御手段としてのＣＰＵ、主記憶手段としてのメモリ、補助記憶手段としてのＨＤＤ、通信手段としての通信モジュール等である。必要に応じて、情報提供サーバ５は、外部記憶手段としての記憶媒体、表示手段としての液晶ディスプレイや有機ＥＬディスプレイ、入力手段としてのキーボードやマウス、タッチパネルディスプレイ等を備える。
【００４６】
情報提供サーバ５を構成する各コンピュータのＣＰＵは、補助記憶手段からＯＳやアプリケーションプログラムを読み出して主記憶手段に格納し、主記憶手段にアクセスしながら、その他の機器を制御し、後述する処理を実行する。
【００４７】
図５は、無線ＬＡＮシステム１ａのデータ例を示す図である。図５に示す提供者情報２０、地域情報３０、紐付情報４０、在庫情報５０、観光情報６０は、情報提供サーバ５の記憶手段に保持される。
【００４８】
提供者情報２０は、無線ＬＡＮスポット提供者を識別する提供者ＩＤ２１ごとに、無線ＬＡＮスポット提供者の属性情報を含む。無線ＬＡＮスポット提供者の属性情報は、例えば、提供者名２２である。図５（ａ）に示すように、例えば、提供者ＩＤ２１が「１０１」のデータは、提供者名２２が「○○旅館」の無線ＬＡＮスポット提供者に関するデータである。
【００４９】
地域情報３０は、無線ＬＡＮルータ３の設置場所が属する地域を識別する地域ＩＤ３１ごとに、地域の属性情報を含む。地域の属性情報は、例えば、地域名３２である。図５（ｂ）に示すように、例えば、地域ＩＤ３１が「Ａ」のデータは、地域名３２が「○○温泉郷」に関するデータである。
【００５０】
紐付情報４０は、提供者ＩＤ４１と地域ＩＤ４２の紐付を示す。提供者ＩＤ４１は、提供者情報２０の提供者ＩＤ２１と同じ意味のデータである。地域ＩＤ４２は、地域情報３０の地域ＩＤ３１と同じ意味のデータである。紐付情報４０によって、各無線ＬＡＮスポット提供者は、地域ごとにグループ分けされる。図５（ｃ）に示すように、例えば、提供者ＩＤ４１が「１０１」のデータは、地域ＩＤ４２が「Ａ」に紐付けられている。
【００５１】
在庫情報５０は、提供者ＩＤ５１と、無線ＬＡＮスポット提供者に係る商品役務の属性情報と、商品役務の在庫数５３を含む。無線ＬＡＮスポット提供者に係る商品役務の属性情報は、例えば、商品名５２である。提供者ＩＤ５１は、提供者情報２０の提供者ＩＤ２１と同じ意味のデータである。図５（ｄ）に示すように、例えば、提供者ＩＤ５１が「１０１」、商品名５２が「宿泊」は、在庫数５３が「３」である。
【００５２】
観光情報６０は、地域ＩＤ６１と、地域の観光情報に関するウェブページの属性情報と、観光情報に関するウェブページのＵＲＬ６３を含む。地域の観光情報に関するウェブページの属性情報は、例えば、ページ名６２である。地域ＩＤ６１は、地域情報３０の地域ＩＤ３１と同じ意味のデータである。図５（ｅ）に示すように、例えば、地域ＩＤ６１が「Ａ」、ページ名６２が「○○温泉組合」のＵＲＬ６３は、「http://www.oo-onsenkyo.com/201308/」である。
【００５３】
図６は、無線ＬＡＮシステム１ａの処理の流れを示すフローチャートである。図６の処理が実行されるタイミングは、携帯端末２がネットワーク８に接続された直後、無線ＬＡＮルータ３による一定時間ごとのプッシュ配信、顧客による明示的な実行指示（例えば、所定のウェブページを表示する旨のＨＴＴＰリクエストの送信）等が挙げられる。まず、無線ＬＡＮルータ３の制御手段は、情報提供サーバ５から在庫情報閲覧確認ページ（ウェブページ）を取得し、携帯端末２に送信する。
【００５４】
図６に示すように、携帯端末２の制御手段は、在庫情報閲覧確認ページを受信すると、在庫情報閲覧確認ページを表示手段に表示し（ステップＳ１１）、顧客に在庫情報を閲覧するか否か確認する（ステップＳ１２）。
【００５５】
図７は、無線ＬＡＮシステム１ａの画面遷移を示す図である。図７の画面７１に示すように、携帯端末２の制御手段は、在庫情報閲覧確認ページを表示手段に表示する。
【００５６】
図６の説明に戻る。顧客が入力手段を介して閲覧しない旨を指示した場合（ステップＳ１２のＮｏ）、携帯端末２の制御手段は、その旨を無線ＬＡＮルータ３に送信し、無線ＬＡＮルータ３の制御手段は、ステップＳ１４に進む。一方、顧客が入力手段を介して閲覧する旨を指示した場合（ステップＳ１２のＹｅｓ）、携帯端末２の制御手段は、その旨を無線ＬＡＮルータ３に送信し、無線ＬＡＮルータ３の制御手段は、在庫情報表示スクリプトを実行する（ステップＳ１３）。
【００５７】
図７の画面７２に示すように、無線ＬＡＮルータ３の制御手段は、携帯端末２から在庫情報の表示指示を受信すると、在庫情報表示スクリプトを実行し、情報提供サーバ５から在庫情報を受信し、携帯端末２に在庫情報を表示させる。
【００５８】
具体的には、無線ＬＡＮルータ３の制御手段は、自らの主記憶手段に保持する自提供者ＩＤとともに、在庫情報の要求指示を情報提供サーバ５に送信する。情報提供サーバ５の制御手段は、自提供者ＩＤを検索キーとして紐付情報を検索し、自提供者ＩＤに係る地域に属する提供者ＩＤのリスト（自提供者ＩＤを含む。）を取得する。次に、情報提供サーバ５の制御手段は、取得された提供者ＩＤのリストを検索キーとして在庫情報５０を検索し、自提供者ＩＤに係る地域について、提供者ＩＤ５１、商品名５２及び在庫数５３のリストを取得する。また、情報提供サーバ５の制御手段は、取得された提供者ＩＤ５１を検索キーとして提供者情報２０を検索し、提供者名２２を取得する。最終的に、情報提供サーバ５の制御手段は、提供者名２２、商品名５２及び在庫数５３のリストを取得し、無線ＬＡＮルータ３に送信する。
【００５９】
情報提供サーバ５の一連のデータ取得処理については、図５に示すデータが関係データベースシステムとして保持されていれば、ＳＱＬ文によって容易に実現することができる。
【００６０】
図７の画面７２を参照すると、「○○温泉郷の在庫情報」として、「○○旅館」の「宿泊」の在庫数が「３」、「△△工芸店」の「茶筒」の在庫数が「３」、「△△工芸店」の「お盆」の在庫数が「２」、という３つのデータが表示されている。
【００６１】
図６の説明に戻る。無線ＬＡＮルータ３の制御手段は、情報提供サーバ５から観光情報閲覧確認ページ（ウェブページ）を取得し、携帯端末２に送信する。携帯端末２の制御手段は、観光情報閲覧確認ページを受信すると、観光情報閲覧確認ページを表示手段に表示し（ステップＳ１４）、顧客に観光情報を閲覧するか否か確認する（ステップＳ１５）。図７の画面７３に示すように、携帯端末２の制御手段は、観光情報閲覧確認ページを表示手段に表示する。
【００６２】
図６の説明に戻る。顧客が入力手段を介して閲覧しない旨を指示した場合（ステップＳ１５のＮｏ）、携帯端末２の制御手段は、その旨を無線ＬＡＮルータ３に送信し、無線ＬＡＮルータ３の制御手段は、図６に示す処理を終了する。一方、顧客が入力手段を介して閲覧する旨を指示した場合（ステップＳ１５のＹｅｓ）、携帯端末２の制御手段は、その旨を無線ＬＡＮルータ３に送信し、無線ＬＡＮルータ３の制御手段は、観光情報表示スクリプトを実行する（ステップＳ１６）。
【００６３】
図７の画面７４に示すように、無線ＬＡＮルータ３の制御手段は、携帯端末２から観光情報の表示指示を受信すると、観光情報表示スクリプトを実行し、情報提供サーバ５から観光情報を受信し、携帯端末２に観光情報を表示させる。
【００６４】
具体的には、無線ＬＡＮルータ３の制御手段は、自らの主記憶手段に保持する自提供者ＩＤとともに、観光情報の要求指示を情報提供サーバ５に送信する。情報提供サーバ５の制御手段は、自提供者ＩＤを検索キーとして紐付情報を検索し、自提供者ＩＤに係る地域に属する地域ＩＤを取得する。次に、情報提供サーバ５の制御手段は、取得された地域ＩＤを検索キーとして観光情報６０を検索し、ページ名６２及びＵＲＬ６３のリストを取得し、無線ＬＡＮルータ３に送信する。
【００６５】
図７の画面７４を参照すると、「○○温泉郷の観光情報」として、「○○温泉組合」と「○○市観光情報」のリンクが表示されている。
【００６６】
以上説明したように、第２の実施形態における無線ＬＡＮシステム１ａでは、  情報提供サーバ５、を更に備え、情報提供サーバは、提供者情報２０、地域情報３０、紐付情報４０、在庫情報５０、観光情報６０を保持し、無線ＬＡＮルータ３は、自提供者ＩＤを保持し、携帯端末２に在庫情報の閲覧確認ページを表示させ、携帯端末２から在庫情報の表示指示を受信すると、自提供者ＩＤを情報提供サーバ５に送信し、自提供者ＩＤに係る地域について、情報提供サーバ５から在庫情報を受信し、携帯端末２に在庫情報を表示させる。また、無線ＬＡＮルータ３は、携帯端末２に光情報の閲覧確認ページを表示させ、携帯端末２から観光情報の表示指示を受信すると、自提供者ＩＤを情報提供サーバ５に送信し、自提供者ＩＤに係る地域について、情報提供サーバ５から観光情報を受信し、携帯端末２に観光情報を表示させる。
【００６７】
従って、無線ＬＡＮスポット提供者は、自らの無線ＬＡＮルータ３のみならず、周辺の店舗に設置された無線ＬＡＮルータ３からも、在庫情報を提示することができる。特に、すぐ近くまで来ている人に対して在庫情報を提示することができるので、広告宣伝効果が非常に高い。すなわち、第２の実施形態における無線ＬＡＮシステム１ａは、地方圏の事業者にとって費用対効果が高いシステムである。
【００６８】
また、無線ＬＡＮスポット提供者は、自らが属する地域の観光情報を提示することができるので、地域の活性化にもつながる。更に、周辺の店舗の在庫情報や観光情報を纏めて閲覧することができるので、顧客にとっても利便性が高いシステムである。
【００６９】
尚、前述の説明では、在庫情報や観光情報のみを例示したが、情報提供サーバ５が提供する周辺情報はこれに限定されるものではない。例えば、情報提供サーバ５は、地域ごとに無線ＬＡＮルータ３の設置場所マップを提供しても良い。これによって、旅行者は、次にどこに行けばネットワーク８に接続することができるのか容易に把握することができる。
【００７０】
以上、添付図面を参照しながら、本発明に係る無線ＬＡＮシステム等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【００７１】
１、１ａ.........無線ＬＡＮシステム
２.........携帯端末
３.........無線ＬＡＮシステム
４.........ＳＮＳサーバ
５.........情報提供サーバ
８.........ネットワーク
９、９ａ、９ｂ.........設置場所
２０.........提供者情報
３０.........地域情報
４０.........紐付情報
５０.........在庫情報
６０.........観光情報
【図１】
2015015658.tif 000003
【図２】
2015015658.tif 000004
【図３】
2015015658.tif 000005
【図４】
2015015658.tif 000006
【図５】
2015015658.tif 000007
【図６】
2015015658.tif 000008
【図７】
2015015658.tif 000009